(57)【要約】【課題】  飛距離を伸ばすことができ、静かに着水して水中を潜航することができ、魚の好奇心をあおる動きをすることができ、水底からの浮き上がりが速く、根がかりトラブルが少ない、魚釣り用の錘を提供する。【解決手段】  錘１の外周翼２は、軸Ｇと、軸Ｇを中心として直交し回転自在に設置された連結翼３としての４枚の連結羽根３ａ，３ｂ，３ｃ，３ｄと、４枚の連結羽根３ａ，３ｂ，３ｃ，３ｄの外周に設置された円筒状の外周翼２とを一体形成している。外周翼２の一方は、両側に環ａ１，ａ２を有する１つの針金Ｇを略中央で１８０度曲げて外周翼２の中心穴ｈに通し、中心穴ｈより大きく広げた針金Ｇの曲げ部分ｂで係止され、外周翼２の他方は、環ａ１を有する針金Ｇの一方を外周翼２に対して略９０度に曲げた点で係止され、金具Ｇは、外周翼２の他方に垂直尾翼Ｔを備える構成となる。【選択図】  図１
2008035729.tif 000002
【特許請求の範囲】
【請求項１】
空気や海水・河川水を通過させる筒状の外周翼と、この外周翼と連結される連結翼とを備え、これら外周翼と連結翼は、錘を接続する金具を中心軸として構成されていることを特徴とする魚釣り用の錘。
【請求項２】
前記筒状の外周翼は、円筒状であり、前記連結翼は、前記軸と外周翼を断面が放射状に交差する板状の連結羽根として複数枚設けられるとともに、その中心部に前記錘を接続する金具を通す中心穴が形成されていることを特徴とする請求項１項記載の魚釣り用の錘。
【請求項３】
前記複数枚の連結羽根は、その前方端に回転力を付与する傾斜部が形成されていることを特徴とする請求項２記載の魚釣り用の錘。
【請求項４】
前記円筒状の外周翼の開口部は、前記複数枚の連結羽根より突出していることを特徴とする請求項２または３記載の魚釣り用の錘。
【請求項５】
前記外周翼は、前記連結翼に対して低比重物質で形成されていることを特徴とする請求項１から４のいずれか１項記載の魚釣り用の錘。
【請求項６】
前記  連結翼は、タングステン合金で形成されていることを特徴とする請求項１から５のいずれか１項記載の魚釣り用の錘。
【請求項７】
前記錘を接続する金具は、両側に環を有する１つの針金を略１８０度曲げて前記外周翼の中心穴に通し、針金の曲げ部分を中心穴より大きく広げて形成されていることを特徴とする請求項１から６のいずれか１項記載の魚釣り用の錘。
【請求項８】
前記錘を接続する金具は、垂直尾翼を有することを特徴とする請求項１から請求項７のいずれか１項記載の魚釣り用の錘。
【発明の詳細な説明】
【技術分野】
【０００１】
本発明は、魚釣り用の錘に係り、特に、錘を接続する金具を介して取り付けられて釣りができる魚釣り用の錘に関する。
【背景技術】
【０００２】
魚釣りは古来より行われてきたが、近年、レジャーとしての魚釣り人口は１０００万人超ともいわれ、釣り愛好家がとても多い。釣りの技術と道具は、餌釣り、トローリング、投げ餌釣り、フライフィッシングの４つの基本的な方法に即して徐々に発達している。
【０００３】
投げ餌釣りとは、魚のいるポイントが遠くにあるときに、錘を使って、エサのついた仕掛けを遠くに投げて魚を釣る釣り方である。従来の投げ釣り用錘としては、特許文献１のように、流線形状の外面に一対の回転防止翼を有する金属製の錘がある。また、特許文献２のように、Ｖ字状又はＹ字状の紙飛行機をイメージした錘がある。さらに、根がかり防止目的としては、特許文献３のように、軸杆部分を釣り糸のねじれを解く方向に回転させるプロペラ型の羽根車部分を有する釣り糸の縒り修正具が開示されている。
【特許文献１】特開平１１−２８９９３９号公報
【特許文献２】特許第３４５７２０７号公報
【特許文献３】実開平４−３０８７０号公報
【発明の開示】
【発明が解決しようとする課題】
【０００４】
ところで、錘を使ってまっすぐに遠方に投げることは、実際には容易ではない。上記特許文献１記載の錘は、流線形状を有しており前方に飛び易い形状となってはいるが、反面、釣り糸の捩れを防止するための回転防止翼を有していることから、錘の飛行軌跡が放物線を描くため、飛行ロスがあり、かつ錘の着水点が不正確となる。また、上記特許文献２記載の錘は、Ｖ字状又はＹ字状の紙飛行機をイメージした翼を有し、プラスチックに金属板を埋設し軽量化を図っているため、飛行距離は向上するが、反面、翼が周囲の風の影響を受けやすく、左右の翼に加わる風の力のバランスがとれず、きりもみ状態（飛行物体が失速した後、螺旋状に旋回しながら急降下する状態）になり易いため、錘の着水点は不確かである。さらに、上記特許文献３記載の釣り糸の縒り修正具は、軸杆部分を釣り糸のねじれを解く方向に回転させるプロペラ型の羽根車部分を有しており、着水後に、植物などの根に錘が引っ掛かる根がかり防止としての効果はあるが、反面、それぞれの羽根車の羽根に加わる風の力のバランスがとれず、きりもみ状態になり易いため、錘の着水点は不確かである。このように、従来の投げ釣り用錘は、たとえ遠くに飛ばすことができたとしても、一方でその着水点は不確かであった。
【０００５】
また、従来の投げ釣り用錘は、着水時に水しぶきがあがりやすく、水中の魚が驚いて離散する可能性が高い。例えば、上記特許文献２および上記特許文献３記載の錘は翼またはプロペラ型の羽根車を有しており、錘の構成上、翼または羽根車の羽根部などの広い面積で一度に着水しやすく、着水時に水しぶきがあがり、水中の魚が驚いて離散する可能性が高い。また、従来の投げ釣り用錘は、錘の先端部が重くなっており、着水後は、そのまま水底まで垂直に沈むため、錘の潜航距離が伸びない。
【０００６】
また、従来の投げ釣り用錘は、コントロールが容易ではないため、錘自体で魚の好奇心をあおるような動き（魚がエサに食いつくような動き）は得られない。また、従来の投げ釣り用錘は、外周部に引っ掛かりがあり、水底からの浮き上がりが悪い。  例えば、上記特許文献１や上記特許文献２記載の錘は、水中で植物などの根に錘が引っ掛かる根がかりなどのトラブルを起こしやすい。
【０００７】
上述のように、投げ釣り用錘に関しては、遠くに飛ばすこと、正確に飛ばすこと、静かに着水すること、水中を潜航すること、魚の好奇心をあおる動きをすること、水底からの浮き上がりが速いこと、根がかりトラブルが少ないことの要件は、いずれも投げ釣り用錘の役割として重要なものである。しかしながら、従来の投げ釣り用錘には、上記要件のうち単一の機能を有する錘は存在するが、複数ないし全ての機能を有する錘は存在しない。
【０００８】
そこで本発明の目的は、飛距離を伸ばすことができ、静かに着水して水中を潜航することができ、水底からの浮き上がりが速く、魚の好奇心をあおる動きをすることができ、根がかりトラブルが少ない等の種々の利点のある魚釣り用の錘を提供することにある。
【課題を解決するための手段】
【０００９】
この目的を達成するため、本発明の魚釣り用の錘は、空気や海水・河川水を通過させる筒状の外周翼と、この外周翼と連結される連結翼とを備え、これら外周翼と連結翼は、錘を接続する金具を中心軸として構成されていることを特徴とする。
【００１０】
この発明においては、錘を接続する金具に釣り糸を付けて、リール等により錘を飛ばすと、空気が筒状の外周翼に流入することで、飛行中の空気抵抗を抑え、飛行距離を延ばすことができる。また、外周翼と連結翼が錘を接続する金具を中心軸としているので、重心は中心軸と一致するため、まっすぐに飛ばすことができる。加えて、前記外周翼と連結翼が錘を接続する金具を中心軸として回転することも可能であり、錘が回転することにより重心は常に中心軸と一致し、きりもみ状態とならずに飛行姿勢が安定する。また、着水・入水に際しては、筒状の外周翼により水しぶきがあがる事態が抑制されることとなる。そして、着水・入水した後は、海水・河川水が筒状の外周翼に流入することで、水の抵抗を抑え、潜行距離を延ばして、ゆっくり海底や川底等に到達する。また、着底後、錘を引き揚げる際にも水が外周翼内に流入することで、引き揚げ易くなる。加えて、外周翼が回転することも可能であり、これにより、根がかりなどのトラブルを未然に防止できる。
【００１１】
本発明としては、前記筒状の外周翼は、円筒状であり、前記連結翼は、前記軸と外周翼を断面が放射状に交差する板状の連結羽根として複数枚設けられるとともに、その中心部に前記錘を接続する金具を通す中心穴が形成されていることが好ましい。
【００１２】
この発明においては、前記筒状の外周翼は、円筒状であることにより、角形等の筒状よりも外周翼の回転力が得やすくなり、また、前記軸と外周翼を断面が放射状に交差する板状の連結羽根として複数枚設けられていることにより、円筒状の外周翼の内部に空気や海水・河川水を流入しやすくし、さらに、複数枚の連結羽根とすることにより、円筒状の外周翼に揚力が生じ易くなる。このため、外周翼が安定して回転して、正確にまっすぐな方向性を保つ役割を果たすこととなる。
【００１３】
本発明としては、前記複数枚の連結羽根は、その前方端に回転力を付与する傾斜部が形成されていることが好ましい。
【００１４】
この発明においては、前記複数枚の連結羽根がその前方端に傾斜部を有することにより、外周翼と連結翼とを回転し易くし、錘を飛ばす際に空気が外周翼に流入して、前記複数枚の羽根に揚力が生じ易くなるとともに、外周翼が安定して回転して、正確にまっすぐな方向性を保つ役割を果たすこととなる。
【００１５】
本発明としては、前記円筒状の外周翼の開口部は、前記複数枚の連結羽根より突出していることが好ましい。
【００１６】
この発明においては、前記円筒状の外周翼の開口部が前記複数枚の連結羽根より突出していることにより、前記錘が着水する際、前記円筒状の外周翼が水しぶきを取り込むことで、着水時に水しぶきがあがり難くなる。また、着底後は、魚を誘うため道糸をゆっくり引くと、前記円筒状の外周翼の内側に砂等が入る。また、道糸をすばやく引くと、前記円筒状の外周翼の外側に砂等を吐き出して、浮上する。上述の動作を２〜３回繰り返すと、容易に砂煙を作り出すことができ、錘自体の動きで容易に魚の好奇心をあおることができる。
【００１７】
本発明としては、前記外周翼は、前記連結翼に対して低比重物質で形成されていることが好ましい。
【００１８】
この発明においては、前記外周翼が前記連結翼に対して低比重物質で形成されていることで、中心軸に近い前期連結翼の重量が中心軸から離れた前記外周翼に対して重くなるため、重心は中心軸から外れることはなく、飛行姿勢が安定してまっすぐに飛ぶ。また、着水、入水後は、前記外周翼は前記連結翼に対して低比重物質で形成されているため、前記外周翼が水に沈む割合は前記連結翼よりも小さく、その結果、前記錘は斜め前方に進むため、潜航距離をさらに延ばして、ゆっくりと海底や川底等に到着する。
【００１９】
本発明としては、前記連結翼は、タングステン合金で形成されていることが好ましい。
【００２０】
この発明においては、前記連結翼がタングステン合金で形成されていることにより、体積のスリム化が図れるため、空気抵抗を少なくして飛行距離を延ばすことができる。また、タングステン合金は鉛に比べて環境特性に優れている。
【００２１】
本発明としては、前記錘を接続する金具は、両側に環を有する１つの針金をほぼ１８０度曲げて前記外周翼の中心穴に通し、針金の曲げ部分を中心穴より大きく広げて形成されていることが好ましい。
【００２２】
この発明においては、１つの針金を略中央でほぼ１８０度曲げて前記外周翼の中心穴に通すことにより、前記錘が回転するための回転軸と道糸を通す環を有するいわゆる天秤とを同時に簡単な構成で得ることができる。そして、上記針金の曲げ部分を中心穴より大きく広げて形成されていることにより、前記外周翼と連結翼から構成される魚釣り用の錘の抜け落ちが防止される。
【００２３】
本発明としては、前記錘を接続する金具は、垂直尾翼を有することが好ましい。
【００２４】
この発明においては、前記錘を接続する金具が垂直尾翼を有することにより、いわゆる風見安定によって前記錘がまっすぐに飛ぶのを助けると共に、前記金具自体の回転を防止するため、道糸が縒れることがない。
【発明の効果】
【００２５】
本発明によれば、筒状の外周翼と連結翼とが錘を接続する金具を中心軸として構成されていることにより、筒状の外周翼に空気や水を取り込んで飛距離を伸ばすことができるとともに、静かに着水して水中を潜航する距離を伸ばすことができる。また、その回転によりまっすぐな方向性を持たせて飛距離や潜行距離を伸ばして、海底や川底等にゆっくりと到達する。さらに、水底からの浮き上がりが速く、魚の好奇心をあおる動きをすることができ、根がかりトラブルが少ない等の種々の効果を発揮する。
【発明を実施するための最良の形態】
【００２６】
以下、本発明を適用した具体的な実施の形態について図面を参照しながら詳細に説明する。
【００２７】
（第１の実施例）
本発明の一実施の形態の魚釣り用の錘は、図１に示すように、外周翼２と、この外周翼２と連結される連結翼３とを備え、錘を接続する金具Ｇを軸として回転可能に構成されている。この錘を接続する金具Ｇは、釣り糸Ｙのもつれを防ぐものであり（天秤と呼ばれる）、針金が使用されているが、この金具Ｇを軸として取り付けられている。図１は、本発明の一実施の形態の魚釣り用の錘を表したものである。図２は、図１における連結翼３の構成をわかりやすくするため、外周翼２と垂直尾翼Ｔを連結翼３から切り離して表したものである。図３は、図１における金具Ｇと連結翼３との位置関係と連結翼３における傾斜部Ｓａの位置をわかりやすくするため、中心軸方向の断面とＡ断面、Ｂ断面を表したものである。
【００２８】
錘を接続する金具Ｇは、両側に環ａ１，ａ２を有する１つの針金Ｇを略中央でほぼ１８０度に曲げて、釣り糸Ｙのもつれを防ぐ。上記連結翼３には、針金Ｇを通す中心穴ｈが形成されている。連結翼３は、外周翼２とともに、「翼」の昨日を有するものであり、本実施の形態では、金具（軸）Ｇと外周翼２を断面が放射状に交差する板状の連結羽根として複数枚設けられるとともに、その中心部に前記錘を接続する金具Ｇを通す中心穴が形成されている。上記連結翼３は、４枚の板状の連結羽根３ａ，３ｂ，３ｃ，３ｄを十字に配置し、軸Ｇを中心として連結翼３としての４枚の連結羽根３ａ，３ｂ，３ｃ，３ｄが外周に設置された円筒状の外周翼２との連結をはかっている。外周翼２は、筒状を呈し、この中に空気や海水・河川水を通過させることにより、飛距離や潜行距離を伸ばすことができるとともに、着水・入水に際しては、水しぶきがあがることを抑制する働きをする。外周翼２の形態としては、角形でも良いが、円筒形状が好ましい。回転がし易い（回転抵抗が少ない）からであり、また、複数の連結翼３との連結の均衡（連結距離の均衡）が図られるからであり、さらに、横風を受けても安定姿勢を保持するからである。
【００２９】
外周翼２の一方は、中心穴ｈを通した針金Ｇの曲げ部分ｂで係止され、外周翼２の他方は、環ａ１を有する針金Ｇの一方を外周翼２に対して略９０度に曲げた点で係止される。  また、環ａ２を有する針金Ｇの他方は外周翼２の軸Ｇの延長線上にある。このため、外周翼２と連結翼３は、軸Ｇを中心として回転自在となる。環ａ１，ａ２を有する針金Ｇは、Ｌ字型のいわゆる天秤形状を呈しており、仕掛けの付いた道糸Ｙを環ａ１に通した後、道糸Ｙを環ａ２に通すことにより、魚の好奇心をあおる仕掛けの動きをさせる。
【００３０】
錘１を接続する金具Ｇは、外周翼２の他方に、垂直尾翼Ｔを備えている。垂直尾翼Ｔは、強化プラスチック製の２枚の板Ｔ１，Ｔ２を貼り合わせて形成されている。垂直尾翼Ｔは略四角形状となっており、その直交する２辺には、それぞれ針金Ｇを嵌め合わせる溝部Ｔａ，Ｔｂが形成されている（図２）。環ａ１を有する外周翼２に対して略９０度に曲げた針金Ｇの一方は溝部Ｔａに嵌め合わされ、環ａ２を有する外周翼２の軸Ｇの延長線上にある針金Ｇの他方は溝部Ｔｂに嵌め合わされて、垂直尾翼Ｔと金具Ｇとを固定する。このため、外周翼２の他方にある針金ＧのＬ字型部分は、ねじれることなく略９０度の関係を保つ。従って、垂直尾翼Ｔは、いわゆる風見安定によって錘１がまっすぐに飛ぶのを助けると共に、金具Ｇ自体の回転を防止するため、道糸Ｙが縒れることがない。なお、ここでは、錘１に垂直尾翼Ｔのみを取り付けたが、錘１の前後の飛行姿勢をより安定させるために、水平尾翼を付け加えても良い（図示せず）。
【００３１】
ここで、環ａ１，ａ２は、針金Ｇを１．５から２周回して形成されており、道糸Ｙをぴんと張って環の周側面から中央に向かって入れ込むと、環になって重なっている針金同士が開くことにより、容易に道糸Ｙを環ａ１，ａ２の中に通すことができる。また、一度、環ａ１，ａ２を通った道糸Ｙは、環になって重なっている針金同士が閉じていることにより、環ａ１，ａ２から外れることはない。
【００３２】
上記連結翼３としての４枚の連結羽根３ａ，３ｂ，３ｃ，３ｄの先端には、それぞれ傾斜部Ｓａを有する（図３）。この傾斜部Ｓａは、空気や海水・河川水を受けて連結翼３に回転力を付与するものであり、４枚の連結羽根３ａ，３ｂ，３ｃ，３ｄの進行方向の縁は同じ方向に傾斜して形成されている。つまり、複数枚の連結羽根３の回転方向と反対側（複数枚の連結羽根３の板厚面）に対して傾斜部３ａ，３ｂ，３ｃ，３ｄを各々同じ方向に形成している。
【００３３】
このため、錘１を投げると、錘１は矢印Ｆの方向に飛び、外周翼２に空気が流入する。流入した空気の流速は、傾斜部Ｓａを有する面が傾斜部Ｓａを有しない面に比べて遅くなり空気の圧力が大きくなるため、前方側から後方側に向かって揚力が生じ、外周翼２が回転する。外周翼２の回転にともない、直進性が高まるとともに推進力が生じる。なお、図１では、外周翼２は、右回転しながら前進する。また、錘１は、着水，入水後には、海水・河川水が外周翼２に流入し、前述と同様、右回転しながら前進することとなる。  このように、空気や海水・河川水が４枚の連結羽根３ａ，３ｂ，３ｃ，３ｄに揚力を与え外周翼２が安定して回転することで、直進性を高めるとともに推進力を生じさせる。回転が伴わない錘に比較して回転が伴う錘１は、直進性を維持して飛距離を伸ばすことができるからである。
【００３４】
一方、着水，入水，着底後、錘１を引き揚げる際には、錘１は矢印Ｂの方向に引き揚げられ、水が外周翼２に流入して、流入した水の流速は、連結翼の３の前方の傾斜部Ｓａを有する面が後方（傾斜部Ｓａを有しない面）に比べて遅くなり水の圧力が大きくなるため、前方側から後方側に向かって揚力が生じ、外周翼２が回転する。外周翼２の回転にともない、直進性が高まるとともに推進力が生じる。４枚の連結羽根３ａ，３ｂ，３ｃ，３ｄに揚力を与え連結翼３と外周翼２が安定して回転するため、根がかりなどのトラブルを未然に防止できる他、揚力による推進力により、錘１の引き揚げが容易となる。
【００３５】
外周翼２と連結翼３は、鋼鉄製等でも良いが、ここではタングステン合金を金属粉末射出成形で一体形成されている。タングステン合金の比重は、鉄の２．４倍、鉛の１．５倍と重く、体積のスリム化により空気抵抗が格段に小さくなり、その分飛行距離が伸びる。また、タングステン合金は、鉛に比べて、環境特性に優れている。なお、外周翼２と連結翼３は、ここでは一体形成しているが、外周翼２と連結翼３をそれぞれ成形した後、溶接や接着剤による接着などにより接合することも可能である。また、外周翼２と連結翼３を成形後、めっき処理することにより、さらに見栄えをよくすることもできる。
【００３６】
ここで、図１に示す上記実施の形態では、連結翼３は、４枚の板状の連結羽根を十字に配置させ、軸Ｇを中心として４枚の連結羽根３が外周に設置された円筒状の外周翼２との連結をはかっているとして説明したが、連結翼３は、複数枚設けられていれば良く、上述した実施の形態に限定されるものではない。連結翼３の連結羽の枚数としては、上記４枚のほか、図４に示すように、図４（ａ）のように２枚としたり、図４（ｂ）に示すように３枚としたり、図４（ｃ）に示すように６枚としたりすることができる。連結翼３の連結羽の枚数が１枚の場合は、重心の位置と回転中心の位置が一致しないため、バランスが崩れて、きりもみ飛行し易くなるが、連結翼３の連結羽の枚数が複数枚の場合（２枚以上）は、重心の位置と回転中心の位置が一致するため、バランスがよく、直進性が高まり、きりもみ飛行の心配がない。連結翼３の連結羽の枚数が多くなるに従い、連結翼３は空気を受ける面積が増大するため、揚力が大きくなり、回転力が増して、推進力が大きくなるので、より遠くに錘１を飛ばすことができる。反面、連結翼３の連結羽の枚数が多くなると、空気抵抗が大きくなり、逆に失速し易くなる。
【００３７】
（第２の実施例）
外周翼２を強化プラスチックで形成した場合の本発明の一実施の形態の魚釣り用の錘を、図５に示す。図５（ａ）は、錘１の斜視図であり、図５（ｂ）は、錘１を前方から見た断面模式図である。
円筒状の外周翼２は、その内周部に、連結翼３の４枚の連結羽根３ａ，３ｂ，３ｃ，３ｄに対応した溝１ａ，１ｂ，１ｃ，１ｄを備えている。連結翼３の４枚の連結羽根３ａ，３ｂ，３ｃ，３ｄは外周翼２の溝１ａ，１ｂ，１ｃ，１ｄに嵌め込んで固定する。ここでは、外周翼２と連結翼３は、嵌め合いで固定するが、接着剤等での固定でも良い。
【００３８】
外周翼２は、強化プラスチックで形成されているため、外周翼２の比重は連結翼３に対して小さく（軽く）、中心軸Ｇに近い連結翼３の重量が中心軸Ｇから離れた外周翼２に対して重くなるため、重心は中心軸から外れることはなく、飛行姿勢が安定してまっすぐに飛ぶ。また、錘１が着水、入水後は、外周翼２は連結翼３に対して比重が小さいため、外周翼２が水に沈む割合は連結翼３よりも小さく、その結果、錘１は斜め前方に進むため、潜航距離をさらに延ばして、ゆっくりと海底や川底等に到着する。
【００３９】
また、外周翼２を連結翼３に対して比重が小さい物質で形成することにより、錘１の設計の自由度が大きくなる。  例えば、外周翼２が強化プラスチックで形成されており、連結翼３がタングステン合金で形成されている場合では、錘１の重量は、ほぼ連結翼３の形状で決まるため、外周翼２の取り得る形状の範囲は広い。しかし、錘１全体がタングステン合金で形成されている場合は、錘１の重量は、外周翼２と連結翼３を合わせた重量となるため、外周翼２の取り得る形状の範囲は狭い。
さらには、比重の小さい強化プラスチックに比重の大きいタングステン合金等のパウダーを混ぜることで、外周翼２の比重調整も応用可能である。
【００４０】
なお、この錘１は、錘本体（外周翼２と連結翼３）の重量を７０ｇから１３０ｇに調節している。外周翼２と連結翼３の重量を７０ｇから１３０ｇとすることで、子供から大人まで幅広い年齢層の釣り人が錘を投げやすく、さらに錘のコントロールが容易となるためである。
【００４１】
（第３の実施例）
円筒状の外周翼２の開口部を連結翼３の４枚の連結羽根３ａ，３ｂ，３ｃ，３ｄより突出している覆うように構成された実施の形態の魚釣り用の錘である（図６）。
【００４２】
円筒状の外周翼２が連結翼３の４枚の連結羽根３ａ，３ｂ，３ｃ，３ｄよりも前方に突出しているため、円筒状の外周翼２内に取り込んだ空気（風）や水をすばやく回転方向の力に作用させる構成として、着水する際、円筒状の外周翼２が水しぶきを取り込み、着水時に水しぶきが更にあがり難くなる。さらに、入水後は、外周翼２への水の流入速度に対して水の流出速度が高くなり、推進力が増し、斜め前方に進むため、潜航距離をさらに延ばして、ゆっくりと海底や川底等に到着する。また、着底後、錘１を引き揚げる際にも水が前方側から多く流出し後方側からは水の流出速度が幾分高くなることから、引き揚げやすくなる。さらに、着底後は、道糸Ｙをゆっくり引くと、円筒状の外周翼２の内側に砂等が入る。また、道糸Ｙをすばやく引くと、円筒状の外周翼２の外側に砂等を吐き出して、浮上する。上述の動作を２〜３回繰り返すと、容易に砂煙を作り出すことができ、錘１自体の動きで容易に魚の好奇心をあおることができる。
【００４３】
したがって、この魚釣り用の錘１は、錘を接続する金具Ｇに釣り糸Ｙを付けて、リール等によりこの魚釣り用の錘１を飛ばすと、空気が外周翼２内部（外周翼２と連結翼３の空隙）に流入することで、揚力を有効に生じさせ、飛行距離を延ばすことができる。加えて、連結翼３の傾斜部Ｓａで受けた風により連結翼３と外周翼２が回転することにより（円筒状の外周翼２内に取り込んだ空気（風）や水をすばやく回転方向の力に作用させることにより）、更に飛ぶ方向の直進性を保とうとする働きをする。また、着水・入水に際しては、筒状の外周翼２により水しぶきがあがる事態が更に抑制されることとなる。つまり、きりもみ状態（飛行物体が失速した後、螺旋状に旋回しながら急降下する状態）になり難く、釣りのポイントに向かってまっすぐに飛行する。また、筒状の外周翼２が囲むように水表面に被さるようになるので、水しぶきがあがる事態が抑制される。そして、着水・入水した後は、海水・河川水が筒状の外周翼２に流入することで、水の抵抗を抑え、潜行距離を延ばして、ゆっくりと海底や川底等に到達することとなる。また、着底後、円筒状の外周翼２の外側に砂等が入り、吐き出すことで容易に砂煙を作り出すことができ、錘１自体の動きで容易に魚の好奇心をあおることができる。錘１を引き揚げる際にも水が外周翼２に流入することで、引き揚げ易くなるとともに、外周翼２が回転することにより、根がかりなどのトラブルを未然に防止できる。
【００４４】
（第４の実施例）
図７（ａ）（ｂ）は、上記連結翼３の４枚の連結羽根３ａ，３ｂ，３ｃ，３ｄは、各々が流線型（翼型）を呈する実施例である。すなわち、４枚の連結羽根３ａ，３ｂ，３ｃ，３ｄの厚さが、その前方側が厚く後方に向かって徐々に薄くなっている。これにより上記傾斜部Ｓａも前方側から後方側に向かってその面積が小さくなるようになっている。したがって、風や海水等との接触により連結翼３と外周翼２が回転し易くなるとともに、浮力や揚力も生じやすくなる設計になっている。
【００４５】
以上、本発明は、上述した実施の形態に限定されるものではない。例えば、上述した実施の形態では、軸Ｇは、両側に環ａ１，ａ２を有する１つの針金Ｇを略中央で１８０度曲げて前記外周翼２の中心穴ｈに通し、針金Ｇの曲げ部分ｂを中心穴ｈより大きく広げて形成した構成となるとして説明したが、本発明は、１つの金属棒をそのまま外周翼２の中心穴ｈに通し、外周翼２の前方で先端をつぶして係止部とし、外周翼２の後方に、環ａ１，ａ２を有する針金を巻いて金属棒に溶接するなどして係止部とすることも可能である。
【００４６】
また、錘の外形に魚に似せた塗装を施して、魚の好奇心をあおることも可能である。
このように、本発明は、その趣旨を逸脱しない範囲で適宜変更が可能であることは言うまでもない。
【図面の簡単な説明】
【００４７】
【図１】本発明の第１の実施の形態における斜視図である。
【図２】上記第１の実施の形態を分解した状態で示す斜視図である。
【図３】上記第１の実施の形態の断面図である。
【図４】上記第１の実施の形態の他の例を示す断面図である。
【図５】本発明の第２の実施の形態を示す図であり、（ａ）はその斜視図であり、（ｂ）はその断面図である。
【図６】本発明の第３の実施の形態における斜視図である。
【図７】本発明の第４の実施の形態における図であり、（ａ）はその斜視図であり、（ｂ）は連結羽根の断面図である。
【符号の説明】
【００４８】
１              魚釣り用の錘、
Ｇ              錘を接続する金具（軸、針金）、
ａ１，ａ２      環、
ｂ              曲げ部分、
２              外周翼、
３              連結翼（連結羽根）、
Ｓａ            傾斜部、
Ｔ              垂直尾翼、
Ｙ              釣り糸（道糸）
【図１】
2008035729.tif 000003
【図２】
2008035729.tif 000004
【図３】
2008035729.tif 000005
【図４】
2008035729.tif 000006
【図５】
2008035729.tif 000007
【図６】
2008035729.tif 000008
【図７】
2008035729.tif 000009